(57)【要約】【課題】バッテリ電源を短時間のうちに消耗させることなく、アクセスポイントに対する接続動作を確実に完了することができるハンディターミナルを提供する。【解決手段】電源オン時、無線送信のためのアクセスポイント２との接続動作をその接続が完了するまで繰返し、その接続動作ごとに接続が完了したかどうかを判定し、完了しなかった場合に、所定時間ｔｓだけ、接続動作を中断して省電力モードを設定する。【選択図】      図１
2008118562.tif 000002
【特許請求の範囲】
【請求項１】
バッテリ電源により動作してアクセスポイントに情報を無線送信するハンディターミナルにおいて、
前記無線送信のための前記アクセスポイントとの接続動作をその接続が完了するまで繰返す制御手段と、
前記接続動作ごとにその接続が完了したか否かを判定する判定手段と、
前記判定手段の判定結果が否定の場合に、所定時間だけ、前記接続動作を中断して、前記バッテリ電源の電力消費を制限する省電力モードを設定する制御手段と、
を備えることを特徴とするハンディターミナル。
【発明の詳細な説明】
【技術分野】
【０００１】
この発明は、バッテリ電源により動作する無線通信式のハンディターミナルに関する。
【背景技術】
【０００２】
例えば飲食店向けのＯＥＳ（オーダーエントリーシステム；商品注文管理システムともいう）等では、商品（料理品目）のコードや注文数量等の商品注文情報を入力するための携帯型の情報入力用端末として、バッテリ電源により動作する無線通信式のいわゆるハンディターミナルが使用される（例えば特許文献１，２，３）。
【０００３】
このハンディターミナルは、接客担当者による電源のオン時、店内の無線基地局いわゆるアクセスポイントに対する以後の無線送信が可能となるよう、そのアクセスポイントとの双方向通信による接続動作を実行する。
【特許文献１】特開平５―３４２３８８号公報
【特許文献２】特開平１１―３１４８号公報
【特許文献３】特開２００５―６４６５３号公報
【発明の開示】
【発明が解決しようとする課題】
【０００４】
アクセスポイントに対する接続動作は、バッテリ電源の電力を多量に消費するものであるにもかかわらず、接続が完了するまでいつまでも繰返される。  
このため、通信（電波）環境の悪化でアクセスポイントがなかなか見つからないような状況では、接続動作がいつまでも繰返され、バッテリ電源が短時間のうちに消耗してしまう。
【０００５】
この発明は上記の事情を考慮したもので、その目的は、バッテリ電源を短時間のうちに消耗させることなく、アクセスポイントに対する接続動作を確実に完了することができるハンディターミナルを提供することである。
【課題を解決するための手段】
【０００６】
請求項１に係る発明のハンディターミナルは、バッテリ電源により動作してアクセスポイントに情報を無線送信するものであって、無線送信のためのアクセスポイントとの接続動作をその接続が完了するまで繰返す制御手段と、上記接続動作ごとにその接続が完了したか否かを判定する判定手段と、この判定手段の判定結果が否定の場合に、所定時間だけ、上記接続動作を中断して、上記バッテリ電源の電力消費を制限する省電力モードを設定する制御手段と、を備える。
【発明の効果】
【０００７】
この発明のハンディターミナルによれば、バッテリ電源を短時間のうちに消耗させることなく、アクセスポイントに対する接続動作を確実に完了することができる。
【発明を実施するための最良の形態】
【０００８】
以下、この発明の一実施形態について図面を参照して説明する。
【０００９】
図１に飲食店向けのＯＥＳ（オーダーエントリーシステム；商品注文管理システムともいう）を示している。１はバッテリ電源により動作する無線通信式の情報入力用端末いわゆるハンディターミナルで、例えば飲食店の接客担当者が携帯し、商品（料理品目）のコードや注文数量等の商品注文情報を入力する。
【００１０】
このハンディターミナル１が店内に複数台用意され、これらハンディターミナル１から送信される情報が店内の複数個所に設置されている無線基地局いわゆるアクセスポイント２に送られる。店内にはＬＡＮ（ローカル・エリア・ネットワーク）３が敷設されており、そのＬＡＮ３に上記各アクセスポイント２、厨房用表示装置（ＣＲＴ）４、厨房用プリンタ（ＫＣＰ）５、および電子レジスタ（ＰＯＳ）６などが接続されている。厨房用表示装置４は、ハンディターミナル１から送信される商品注文情報を表示する。厨房用プリンタ５は、商品注文情報に応じた注文伝票および配膳指示票などをプリントする。電子レジスタ６は、商品注文情報に応じた現金あるいは非現金による決済処理を実行する。
【００１１】
ハンディターミナル１は、図２に示すように、ＣＰＵ１０に操作部１１、表示部１２、ＲＯＭ１３、ＲＡＭ１４、通信部１５、およびタイマ１６を接続し、内蔵のバッテリ電源１７により動作する。操作部１１は、上記商品注文情報の入力用である。表示部１２は、操作部１１で入力された商品注文情報を表示する。ＲＯＭ１３は、当該ハンディターミナル１の制御用プログラムを記憶している。ＲＡＭ１４は、入力される商品注文情報等を記憶する。通信部１５は、アンテナ１５ａを付属して備え、上記アクセスポイント２との間で電波による無線通信を行う。タイマ１６は、後述する所定時間ｔをカウントする。
【００１２】
ＣＰＵ１０は、主要な機能として、次の（１）〜（３）を備えている。  
（１）電源オン時、バッテリ電源１７の電力消費に制限がない通常電力モード（フルパワーモード）を設定し、アクセスポイント２に対する以後の無線送信が可能となるよう、アクセスポイント２との双方向通信による接続動作をその接続が完了するまで繰返す制御手段。
【００１３】
（２）上記接続動作ごとに、その接続が完了したか否かを判定する判定手段。
【００１４】
（３）上記判定手段の判定結果が否定の場合に、所定時間（たとえば１０秒間）ｔｓだけ、上記接続動作を中断して、バッテリ電源１７の電力消費を制限する省電力モードを設定する制御手段。
【００１５】
つぎに、上記の構成の作用を図３のフローチャートを参照しながら説明する。  
ハンディターミナル１の電源スイッチがオンされると、バッテリ電源１７の電力消費を制限しない通常電力モードが設定され（ステップ１０１）、アクセスポイント２に対する以後の無線送信が可能となるように、アクセスポイント２との双方向通信による接続動作が実行される（ステップ１０３）。そして、この接続動作に際し、その接続が完了したか否かが判定される（ステップ１０４）。
【００１６】
この判定結果が肯定の場合、すなわち接続が完了すれば（ステップ１０４のＹＥＳ）、それまでの通常電力モードに代わり、バッテリ電源１７の電力消費を制限する省電力モードが設定される（ステップ１０５）。
【００１７】
ただし、上記判定結果が否定の場合には、すなわち接続が完了しなければ（ステップ１０４のＮＯ）、バッテリ電源１７の電力消費を制限する省電力モードが設定されるとともに（ステップ１０６）、タイマ１６によるタイムカウントｔが開始される（ステップ１０７）。このタイムカウントｔと予め定められている所定時間ｔｓとが比較され（ステップ１０８）、タイムカウントｔが所定時間ｔｓに達しないうちは省電力モードの設定が保持される。この間、接続動作は中断された状態となる。
【００１８】
こうして、接続動作が中断され、かつ省電力モードが設定されることにより、接続操作によって一旦は消耗したバッテリ電源１７の回復が図れる。
【００１９】
タイムカウントｔが所定時間ｔｓに達すると（ステップ１０８のＹＥＳ）、タイムカウントｔがクリアされて（ステップ１０９）、通常電力モードが設定された後（ステップ１０１）、接続動作が再び実行される（ステップ１０３）。以後、同様の処理が繰返される。
【００２０】
以上のように、アクセスポイント２との接続動作を接続が完了するまで繰返し、その接続動作ごとに接続が完了したかどうかを判定し、完了しなかった場合に、所定時間ｔｓだけ、接続動作を中断して省電力モードを設定するようにしたので、バッテリ電源１７を短時間のうちに消耗させることなく、アクセスポイントに対する接続動作を確実に完了することができる。
【００２１】
なお、上記実施形態では、所定時間ｔｓを例えば１０秒間としたが、その所定時間ｔｓについては接続動作にかかる時間やバッテリ電源１７の容量などの応じて適宜に設定可能である。
【００２２】
その他、この発明は上記実施形態に限定されるものではなく、要旨を変えない範囲で種々変形実施可能である。
【図面の簡単な説明】
【００２３】
【図１】一実施形態およびその周辺部の構成を示す図。
【図２】一実施形態の構成を示すブロック図。
【図３】一実施形態の作用を説明するためのフローチャート。
【符号の説明】
【００２４】
１…ハンディターミナル、２…アクセスポイント、３…ＬＡＮ、４…厨房用表示装置、５…厨房用プリンタ、６…電子レジスタ、１０…ＣＰＵ、１６…タイマ、１７…バッテリー電源
【図１】
2008118562.tif 000003
【図２】
2008118562.tif 000004
【図３】
2008118562.tif 000005